【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
ガラス管の内壁面に蛍光体被膜を有し、ガラス管内に希ガスおよび水銀が封入され、ガラス管の両端部に一対の電極を備えた蛍光ランプにおいて、
前記ガラス管の放電空間の断面形状が少なくとも長径と短径を用いて規定され、その長径を１．２〜１４．０ｍｍの範囲、短径を０．７〜１０．０ｍｍの範囲とし、
前記希ガスの封入は、６０．０〜９９．９％をネオンとし残部をアルゴンとする混合ガスを封入圧力６．５〜１６．０ｋＰａの範囲で封入したことを特徴とする蛍光ランプ。
【請求項２】
エッジ式バックライトに用いられ、放電空間の断面形状は、長径を１．２〜３．５ｍｍの範囲、短径を０．７〜３．２ｍｍの範囲とし、ランプの扁平率｛（長径−短径）／長径×１００％｝を８〜８０％の範囲としたことを特徴とする請求項１記載の蛍光ランプ。
【請求項３】
直下式バックライトに用いられ、放電空間の断面形状は、長径を１．８〜１４．０ｍｍの範囲、短径を０．７〜１０．０ｍｍの範囲とし、ランプの扁平率｛（長径−短径）／長径×１００％｝を１５〜９０％の範囲としたことを特徴とする請求項１記載の蛍光ランプ。
【請求項４】
前記ガラス管の放電空間のうち電極を備える両端部の断面形状を略真円形としたことを特徴とする請求項１乃至３のいずれかに記載の蛍光ランプ。
【請求項５】
前記ガラス管は、その放電空間の断面形状が楕円を基本としたものであって、ランプ設置側に平面部分を備えることを特徴とする請求項１乃至３のいずれかに記載の蛍光ランプ。
【請求項６】
前記ガラス管の外形の断面形状を長方形としたことを特徴とする請求項１乃至３のいずれかに記載の蛍光ランプ。
【請求項７】
前記ガラス管の放電空間の断面形状が扁平形であって、ガラス管の軸方向中央部の扁平率を最も大きく、管端になるに従い扁平率を小さくしたことを特徴とする請求項１記載の蛍光ランプ。
【請求項８】
前記蛍光体被膜は、長径方向の方が短径方向のものよりも厚く形成されていることを特徴とする請求項１乃至７のいずれかに記載の蛍光ランプ。
【手続補正２】
【補正対象書類名】明細書
【補正対象項目名】発明の名称
【補正方法】変更
【補正の内容】
【発明の名称】蛍光ランプ
【手続補正３】
【補正対象書類名】明細書
【補正対象項目名】０００１
【補正方法】変更
【補正の内容】
【０００１】
本発明は、液晶モニタや液晶ディスプレイ等の背面照明用光源、小型照明用の光源等として用いられる蛍光ランプに関する。
【手続補正４】
【補正対象書類名】明細書
【補正対象項目名】００１１
【補正方法】変更
【補正の内容】
【００１１】
本発明は、上記に鑑みてなされたものであり、その目的とするところは、断面形状を少なくとも長径と短径を用いて規定した場合に輝度ムラを防止するとともに十分な輝度が得られるようにした蛍光ランプを提供することにある。
【手続補正５】
【補正対象書類名】明細書
【補正対象項目名】００１２
【補正方法】変更
【補正の内容】
【００１２】
第１の本発明は、ガラス管の内壁面に蛍光体被膜を有し、ガラス管内に希ガスおよび水銀が封入され、ガラス管の両端部に一対の電極を備えた蛍光ランプにおいて、前記ガラス管の放電空間の断面形状が少なくとも長径と短径を用いて規定され、その長径を１．２〜１４．０ｍｍの範囲、短径を０．７〜１０．０ｍｍの範囲とし、前記希ガスの封入は、６０〜９９．９％をネオンとし残部をアルゴンとする混合ガスを封入圧力６．５〜１６ｋＰａの範囲で封入したことを特徴とする。
【手続補正６】
【補正対象書類名】明細書
【補正対象項目名】００１３
【補正方法】変更
【補正の内容】
【００１３】
本発明にあっては、長径を１．２〜１４．０ｍｍ、短径を０．７〜１０．０ｍｍの範囲にそれぞれ設定したことで、拡散陽光柱が得られるようにしている。すなわち、長径を１４．０ｍｍを越えた長さとした場合や短径を１０．０ｍｍを越えた長さとした場合には収縮陽光柱が発生するので、これを防ぐようにしている。これにより、放電空間の断面形状は細い扁平形や楕円形に規定されるので、輝度ムラが防止され、導光板や拡散板への入射効率も向上する。なお、本蛍光ランプは、複数本をバックライト装置に設置するものである。
また、６０〜９９．９％のネオンと残部をアルゴンとする混合ガスを封入圧力６．５〜１６．０ｋＰａの範囲でガラス管内に封入したことで、蛍光ランプの発光効率が最適にするためのガス種、ガスを設定し、十分な輝度が得られるようにしている。
【手続補正７】
【補正対象書類名】明細書
【補正対象項目名】００１４
【補正方法】変更
【補正の内容】
【００１４】
第２の本発明は、エッジ式バックライトに用いられる蛍光ランプであって、放電空間の断面形状は、長径を１．２〜３．５ｍｍの範囲、短径を０．７〜３．２ｍｍの範囲とし、ランプの扁平率｛（長径−短径）／長径×１００％｝を８〜８０％の範囲としたことを特徴とする。
【手続補正８】
【補正対象書類名】明細書
【補正対象項目名】００１５
【補正方法】変更
【補正の内容】
【００１５】
本発明にあっては、エッジ式バックライトに組み込まれる蛍光ランプについて上記の設定をすることで、断面形状が真円形の蛍光ランプに比べて発光効率を５％以上向上させるようにしている。
【手続補正９】
【補正対象書類名】明細書
【補正対象項目名】００１６
【補正方法】変更
【補正の内容】
【００１６】
第３の本発明は、直下式バックライトに用いられる蛍光ランプであって、放電空間の断面形状は、長径を１．８〜１４．０ｍｍの範囲、短径を０．７〜１０．０ｍｍの範囲とし、ランプの扁平率｛（長径−短径）／長径×１００％｝を１５〜９０％の範囲としたことを特徴とする。
【手続補正１０】
【補正対象書類名】明細書
【補正対象項目名】００１７
【補正方法】変更
【補正の内容】
【００１７】
本発明にあっては、直下式バックライトに組み込まれる蛍光ランプについて上記の設定をすることで、断面形状が真円形の蛍光ランプに比べて発光効率を５％以上向上させるようにしている。
【手続補正１１】
【補正対象書類名】明細書
【補正対象項目名】００１８
【補正方法】変更
【補正の内容】
【００１８】
第４の本発明は、上記蛍光ランプにおいて、前記ガラス管の放電空間のうち電極を備える両端部の断面形状を略真円形としたことを特徴とする。
【手続補正１２】
【補正対象書類名】明細書
【補正対象項目名】００２０
【補正方法】変更
【補正の内容】
【００２０】
第５の本発明は、上記蛍光ランプにおいて、前記ガラス管は、その放電空間の断面形状が楕円を基本としたものであって、ランプ設置側に平面部分を備えることを特徴とする。
【手続補正１３】
【補正対象書類名】明細書
【補正対象項目名】００２１
【補正方法】変更
【補正の内容】
【００２１】
本発明にあっては、蛍光ランプの設置側に平面部分を備えたことで、蛍光ランプを容易に固定でき設置方向を統一できるようにするとともに、楕円部分による光放射面がバックライト装置の光入射面側に向くように配置することによって、光が拡散して板面輝度ムラを低減できるようにしている。
【手続補正１４】
【補正対象書類名】明細書
【補正対象項目名】００２２
【補正方法】変更
【補正の内容】
【００２２】
第６の本発明は、上記蛍光ランプにおいて、前記ガラス管の外形の断面形状を長方形としたことを特徴とする。
【手続補正１５】
【補正対象書類名】明細書
【補正対象項目名】００２３
【補正方法】変更
【補正の内容】
【００２３】
本発明にあっては、ガラス管の外形の断面形状を長方形としたことで、蛍光ランプを容易に固定でき設置方向を統一できるようにするとともに、蛍光ランプの発光面にゆがみがないことから、板面上の輝度ムラをより低減できるようにしている。
【手続補正１６】
【補正対象書類名】明細書
【補正対象項目名】００２４
【補正方法】変更
【補正の内容】
【００２４】
第７の本発明は、上記蛍光ランプにおいて、前記ガラス管の放電空間の断面形状が扁平形であって、ガラス管の軸方向中央部の扁平率を最も大きく、管端になるに従い扁平率を小さくしたことを特徴とする。
【手続補正１７】
【補正対象書類名】明細書
【補正対象項目名】００２５
【補正方法】変更
【補正の内容】
【００２５】
本発明にあっては、軸方向中央部の扁平率を最も大きく、管端になるに従い扁平率を小さくしたことで、蛍光ランプの配光が管端になるほど明るくなるので、エッジ式などの端部の輝度が低下しやすいバックライト装置に適用した場合に高輝度が得られる。
【手続補正１８】
【補正対象書類名】明細書
【補正対象項目名】００２８
【補正方法】変更
【補正の内容】
【００２８】
本発明の蛍光ランプによれば、放電空間の断面形状が少なくとも長径と短径を用いて規定される場合の輝度ムラを防止できるとともに輝度を高めることができる。
【手続補正１９】
【補正対象書類名】明細書
【補正対象項目名】００６４
【補正方法】変更
【補正の内容】
【００６４】
［第６の実施の形態］
図１６（ａ）は、本実施形態における蛍光ランプの構成を示す軸方向の平断面図であり、同図（ｂ）はその側断面図である。同図に示すように、本蛍光ランプは、電極３ａ，３ｂとして、ガラス管２の両端部の外壁面に外部電極を設けた構成である。ガラス管２の放電空間の断面形状は、扁平形、楕円形、長方形など、長径と短径で規定される形状である。その他の構成については第１実施形態のものと同様であるので、ここでは重複した説明は省略する。
【手続補正２０】
【補正対象書類名】明細書
【補正対象項目名】００６５
【補正方法】変更
【補正の内容】
【００６５】
本実施の形態では、ガラス管２の両端部における電極３ａ，３ｂを外部電極としたことで、誘電体バリア放電を利用する蛍光ランプとなっている。このように外部電極とした場合でも、第１実施形態と同様の効果を得ることができる。
【手続補正２１】
【補正対象書類名】明細書
【補正対象項目名】００９５
【補正方法】変更
【補正の内容】
【００９５】
なお、本実施の形態においては、冷陰極蛍光ランプ１の断面形状を扁平としたが、これに限られるものではなく、断面形状が少なくとも長径と短径を用いて規定される形状であればよい。例えば、楕円形としてもよい。また、ガラス管２は、直管形のほか、中央部で折り曲げるようにしたＬ字管形やＵ字管形としてもよい。さらには、蛍光ランプとして、ガラス管の内部に水銀を封入しないタイプのものや、電極をガラス管の外部に設けるようにした外部電極タイプのものを用いるようにしてもよい。